(57)【要約】【課題】視角によって色階調が変化する表示装置を同一の視角から同時に観察することを可能とする視野角特性同時観察装置を提供する。【解決手段】本発明にかかる視野角特性同時観察装置は、被検表示装置を載せることを可能な、平面内で回転可能な左右一対の回転台（１）；一つの光学装置用台（２）；左右の一対の回転台をそれぞれの中心を回転軸にして同じ角度だけそれぞれ連動して回転させる制御装置（３）；前記二つの回転台の間のほぼ中間の位置に設けられた支点において二つの回転台の中心を結ぶ線に垂直な面内に回転可能であって、先端に上記光学装置用台が結合している連結棒（５）；及び前記被検表示装置それぞれの画像の光束が観察者の眼に並んで入射するように前記光学装置用台の上に設けた一対の２つの平行に相対して並べたミラー群（６）を具備している。【選択図】  図１
2006251164.tif 000002
【特許請求の範囲】
【請求項１】
その上に被検表示装置を載せることを可能な、平面内で回転可能な左右一対の回転台（１）；一つの光学装置用台（２）；左右の一対の回転台をそれぞれの中心を回転軸にして同じ角度だけそれぞれ連動して回転させる制御装置（３）；前記二つの回転台の間のほぼ中間の位置に設けられた支点において二つの回転台の中心を結ぶ線に垂直な面内に回転可能であって、先端に上記光学装置用台が結合している連結棒（５）；及び前記被検表示装置それぞれの画像の光束が観察者の眼に並んで入射するように前記光学装置用台の上に設けた一対の２つの平行に相対して並べたミラー群（６）を具備した視野角特性同時観察装置。
【請求項２】
平面内で回転可能な左右一対の回転台（１）；一つの光学装置用台（２）；左右の一対の回転台をそれぞれの中心を回転軸にして同じ角度だけそれぞれ連動して回転させる制御装置（３）；前記の回転台の上にそれぞれ載せられた被検表示装置（４）；前記二つの回転台の間のほぼ中間の位置に設けられた支点において二つの回転台の中心を結ぶ線に垂直な面内に回転可能であって、先端に上記光学装置用台が結合している連結棒（５）；及び前記被検表示装置それぞれの画像の光束が観察者の眼に並んで入射するように前記光学装置用台の上に設けた一対の２つの平行に相対して並べたミラー群（６）を具備した視野角特性同時観察システム。
【発明の詳細な説明】
【技術分野】
【０００１】
本発明は、視角によって色階調が変化する表示装置の視野角特性を同時に観察できる装置に関する。
【背景技術】
【０００２】
視角によって色階調が変化する表示装置、例えば液晶表示装置は視角によって色の階調が変化するので、これらの視野角特性を同時に観察して比較したい場合がある。しかし、同時に２台の装置を並べても同一の視角から眺めることはできないので、２台の装置を順に見比べるか、２台の装置を交互に同じ位置に移動して見るかの方法で、時系列的に順番に見ることはできても同時に見ることはできなかった。このため、厳密な比較は困難であった。
【発明の開示】
【発明が解決しようとする課題】
【０００３】
本発明の課題は、上記問題点を解決すること、すなわち視角によって色階調が変化する表示装置を同一の視角から同時に観察することを可能とする装置を提供することである。
【課題を解決するための手段】
【０００４】
上記課題は、下記の発明により達成された。
（１）その上に被検表示装置を載せることを可能な、平面内で回転可能な左右一対の回転台（１）；一つの光学装置用台（２）；左右の一対の回転台をそれぞれの中心を回転軸にして同じ角度だけそれぞれ連動して回転させる制御装置（３）；前記二つの回転台の間のほぼ中間の位置に設けられた支点において二つの回転台の中心を結ぶ線に垂直な面内に回転可能であって、先端に上記光学装置用台が結合している連結棒（５）；及び前記被検表示装置それぞれの画像の光束が観察者の眼に並んで入射するように前記光学装置用台の上に設けた一対の２つの平行に相対して並べたミラー群（６）を具備した視野角特性同時観察装置。
（２）平面内で回転可能な左右一対の回転台（１）；一つの光学装置用台（２）；左右の一対の回転台をそれぞれの中心を回転軸にして同じ角度だけそれぞれ連動して回転させる制御装置（３）；前記の回転台の上にそれぞれ載せられた被検表示装置（４）；前記二つの回転台の間のほぼ中間の位置に設けられた支点において二つの回転台の中心を結ぶ線に垂直な面内に回転可能であって、先端に上記光学装置用台が結合している連結棒（５）；及び前記被検表示装置それぞれの画像の光束が観察者の眼に並んで入射するように前記光学装置用台の上に設けた一対の２つの平行に相対して並べたミラー群（６）を具備した視野角特性同時観察システム。
【発明の効果】
【０００５】
視角によって色階調が変化する表示装置を同一のあらゆる視角から同時に観察することが可能となり、正確で能率のよい表示装置の評価が可能となる。
【発明を実施するための最良の形態】
【０００６】
以下、図面を参照して、本発明の好適な実施の形態について説明する。
図１は、実施態様の概念図である。図２は、図１の表示装置の側面図である。図３は、図１の表示装置を上から見た状態を説明する図である。
１ａ、１ｂは平面内で回転する回転台である。この２つの回転台はそれぞれステッピングモーターで回転され、２つのステッピングモーターは回転台が同じ角度で動くようにディジタル制御装置３で制御されている。
回転台１ａ、１ｂの上には、それぞれ被検表示装置４ａ、４ｂがその表示装置の縦画面中心軸を回転台の回転軸に一致させておかれている。
【０００７】
図１及び図２に示すように、回転台の間には、双方の回転台の中間で双方の回転台４ａ、４ｂの中心を結ぶ線上にアーム棒支柱５ａが立てられ、その支柱の上端にアーム棒５が連結される。連結点を支点としてアーム棒は回転台４ａ、４ｂの中心を結ぶ線に垂直な面内を回転できるようになっている。
【０００８】
アーム棒５の先には光学装置用台がアーム棒の中心軸からやや下の位置に、アーム棒に直角に取り付けられた支え棒でアーム棒の中心軸と光学装置用台の上面が平行になるように固定されている。ここで、アーム棒支柱５ａは高さを自由に変えられ、アーム棒５は長さを自由に変えられるようになっている。支柱５ａの高さは、被検表示装置の画面の中心が適当であるが、見易さを考えて適切に変更可能である。アーム棒５の長さも見易さを考慮して決めればよい。
【０００９】
この光学装置用台の上面にアーム棒５の中心軸にほぼ４５度の角度になるように縦にミラーが鏡面をアーム棒と反対の方向にして左右に1枚ずつ置かれている（６ｂ、６ｃ）。  ミラー６ｂ、６ｃの外側にはミラー６ａ、６ｄがミラー６ｂ、６ｃの鏡面に相対して且つ平行におかれ、表示装置の画面からの光束を６ａ、６ｄで反射させて、ミラー６ｂ、６ｃの鏡面に導くようになっている。そこで６ｂ、６ｃの鏡面側にいる観察者は同時に表示装置の画面を見ることができる。
【００１０】
本発明の装置では、回転台１ａ、１ｂを回転台の中心を中心にしてそれぞれ連動させて回転させることができ、またアーム棒を上下に回転させることでミラーを表示装置の画面の面に対して傾けることできるので表示装置の画面を上下斜めの方向から観察することができる。
【００１１】
すなわち、図３に示すように、回転台の回転とアーム棒の回転を組み合わせることで観察者は本発明の観察装置の回転台に載せた二つの表示装置の画面を装置のあらゆる視角で二つ同時に観察することができる。
【図面の簡単な説明】
【００１２】
【図１】本発明の概略図である。
【図２】本発明の右から見た図である。
【図３】本発明を上から見た図である。
【符号の説明】
【００１３】
１ａ、１ｂ    回転台
２            光学装置用台
４ａ、４ｂ    被検表示装置
５            アーム棒
５ａ          アーム棒支柱
６ａから６ｄ  ミラー  
【図１】
2006251164.tif 000003
【図２】
2006251164.tif 000004
【図３】
2006251164.tif 000005